(57)【特許請求の範囲】
【請求項１】
ユーザによる絞り操作環がなく、円筒状筐体の後端部に設けられた絞りレバーの筐体円周方向の位置により絞り値が設定されるタイプのレンズを、マウント機構の異なるカメラボディに接続するレンズアダプタであって、
前記レンズのマウント部と係合し、係合が完了した後は係合が解除されるまでは、所定の範囲内で前記レンズと相対的に筐体円周方向に回転可能な状態を維持し、前記レンズアダプタとして一体に形成されるアダプタ前方マウント部と、
前記絞りレバーの筐体円周方向の一端を押圧し、前記レンズと前記アダプタ前方マウント部との相対的な回転に応じて前記絞りレバーの筐体円周方向の位置を変化させ、前記レンズアダプタに固定されるレバー押圧片と、
前記カメラボディのマウント部と係合し、前記レンズアダプタとして一体に形成されるアダプタ後方マウント部と
を備えたことを特徴とするレンズアダプタ。
【発明の詳細な説明】
【技術分野】
【０００１】  本発明は、一眼レフカメラ等のレンズとカメラボディの接続に用いられるレンズアダプタに関する。
【背景技術】
【０００２】  一眼レフカメラ等のレンズとカメラボディは互いにマウント部の係合により接続される。一つのメーカ内ではマウント部のサイズ等の機構を統一することで、種類の違う複数のレンズとカメラボディを自由に接続できるようになっている。【０００３】  しかし、メーカ間ではマウント部のサイズ等の機構は統一されておらず、異なるメーカのレンズとカメラボディを接続することはできない。そのため、あるメーカにおける焦点距離等の用途の異なるレンズを複数所有しているユーザは、他社製のカメラボディを取得した場合、既存のレンズを有効利用することができない。【０００４】  このような背景から、メーカの異なる、すなわちマウント部のサイズ等の機構の異なるレンズとカメラボディとを接続するために、「レンズアダプタ」と呼ばれる製品が提供されるに至っている。【０００５】  レンズアダプタは、レンズのマウント部と係合する前方のマウント部と、カメラボディのマウント部と係合する後方のマウント部とを備えている。前方のマウント部はレンズのメーカの仕様に準拠したサイズ等の機構となっており、後方のマウント部はカメラボディのメーカの仕様に準拠したサイズ等の機構となっている。【０００６】  レンズアダプタの厚さ（長さ）は、レンズアダプタの内部を空洞で構成する場合、レンズのマウント部における基準面（フランジ面）とカメラボディのマウント部における基準面（フランジ面）との光軸方向の差に対応した寸法となっている。カメラボディのマウント部の口径がレンズのマウント部の口径に比して充分に大きい等の例外的な場合を除き、レンズをカメラボディの内部に沈み込ませて配置することは困難であることから、レンズアダプタの内部を空洞で構成する場合、レンズをカメラボディから遠ざける位置に配置できる場合に限ってレンズアダプタを設計することができる。それ以外の場合は、レンズアダプタの内部に中継レンズを内蔵させ、焦点位置を調整する必要がある。中継レンズを内蔵させる場合、中継レンズの品質によっては撮影画像に悪影響を与えることがあり、中継レンズに品質の高いものが要求される。【０００７】  一方、レンズには、フォーカス（ピント）を調整するための機構と、絞り（アイリス）を調整するための機構とが設けられており、それぞれについてユーザによる操作を行えるようにした操作環がレンズの周面に設けられているものが多い。【０００８】  昨今では、オートフォーカスが主流であるが、ほとんどの機種においてマニュアルフォーカスのための操作環が設けられている。フォーカスはレンズの内部にモータが設けられ、カメラボディとは電気的接点を介して接続されるタイプと、レンズのフォーカス駆動軸をカメラボディ内のモータ軸と接続するタイプとがある。【０００９】  絞りは、レンズの後端部に設けられた絞り有効（無効）レバーをカメラボディ側で制御するタイプが多く、カメラボディのファインダでレンズ透過画像を見ている場合には絞りを開放状態に維持し、シャッタを切る際に絞りをユーザ設定値にする。【００１０】  レンズアダプタは、もともと異なるメーカのレンズとカメラボディとを接続するものであり、フォーカスや絞りの制御の機構も互いに異なることから、カメラボディとの接続の機構を持たないものが多く、フォーカスや絞りはマニュアル操作のみで使用する。この場合、絞りについては絞り有効（無効）レバーをユーザによる設定値となる位置に常に固定している。
【先行技術文献】
【特許文献】
【００１１】
【特許文献１】特開２００３−５７７４２号公報
【発明の概要】
【発明が解決しようとする課題】
【００１２】  ところで、昨今では、絞りを調整するための機構があるにもかかわらず、ユーザによる絞りの操作環がレンズの周面に設けられていないタイプのレンズが出現してきた。これは、絞りの設定をオートとマニュアルで切り分けるのがユーザにとって煩雑であるとともに、カメラボディ側での電気的な設定で絞りの操作を行えば充分であることによる。【００１３】  この種のレンズの場合、レンズの後端部に絞りレバーが設けられており、その絞りレバーをカメラボディ側で駆動することで絞り値が制御される。すなわち、絞りレバーの位置が絞り値に対応したものとなっており、マニュアル設定を有効にしたり無効にしたりする従前の絞り有効（無効）レバーとは異なる働きをする。なお、絞りの制御を電気信号のみで行うようにしたタイプのレンズも存在するが、そのようなタイプのレンズはここでは考慮しない。【００１４】  この場合に問題となるのは、レンズアダプタにおいて絞りレバーの処理をどうすべきかということである。すなわち、従前の絞り有効（無効）レバーの場合はユーザ設定値となる位置に常に固定しておけばよかったが、絞りレバーの場合は絞りレバーの位置が絞り値そのものとなるため、固定すると絞り値をユーザが変えることができなくなってしまうからである。従って、このようなタイプのレンズに従前の絞り有効（無効）レバーに対応したレンズアダプタを用いると、絞りが閉まりっぱなしであるか開放しっぱなしの状態になってしまう。ユーザによってはマッチ棒をちぎった木片等を絞りレバーの部分に挟んで所望の絞り値に設定したりして対応する者もいるようであるが、絞り値を変えるたびにレンズアダプタを外して調整しなければならず、非常に煩雑であった。また、深く絞った状態では、カメラボディのファインダから見るレンズ透過画像が暗くなってしまい、構図やフォーカスの調整等に不便をきたすという問題もあった。【００１５】  一方、特許文献１には、絞りの操作環がなく、後端部に絞り連動部材（絞りレバー）が設けられているレンズを対象にした中間リング（レンズアダプタ）が開示されている。この特許文献１では、中間リングに操作環を設け、その操作環をレンズの絞り連動部材と機械的に連結することで絞り値のマニュアル設定を行えるようにしている。【００１６】  しかしながら、かかる構成によれば、操作環を設けなければならないことからレンズアダプタの厚さが大きくなり、内部を空洞で構成するのは困難となり、中継レンズを内蔵させる構成とせざるを得ない。この場合、中継レンズの品質によっては撮影画像に悪影響を与えることがあり、中継レンズに品質の高いものが要求され、レンズアダプタのコストアップを招く恐れがある。【００１７】  本発明は上記の従来の問題点に鑑み提案されたものであり、その目的とするところは、簡易な構成にして、ユーザによる絞りのマニュアル設定を容易に行えるレンズアダプタを提供することにある。
【課題を解決するための手段】
【００１８】  上記の課題を解決するため、本発明にあっては、請求項１に記載されるように、ユーザによる絞り操作環がなく、円筒状筐体の後端部に設けられた絞りレバーの筐体円周方向の位置により絞り値が設定されるタイプのレンズを、マウント機構の異なるカメラボディに接続するレンズアダプタであって、前記レンズのマウント部と係合し、係合が完了した後は係合が解除されるまでは、所定の範囲内で前記レンズと相対的に筐体円周方向に回転可能な状態を維持し、前記レンズアダプタとして一体に形成されるアダプタ前方マウント部と、前記絞りレバーの筐体円周方向の一端を押圧し、前記レンズと前記アダプタ前方マウント部との相対的な回転に応じて前記絞りレバーの筐体円周方向の位置を変化させ、前記レンズアダプタに固定されるレバー押圧片と、前記カメラボディのマウント部と係合し、前記レンズアダプタとして一体に形成されるアダプタ後方マウント部とを備えるレンズアダプタを要旨としている。
【発明の効果】
【００１９】  本発明のレンズアダプタにあっては、簡易な構成にして、ユーザによる絞りのマニュアル設定を容易に行うことができる。
【図面の簡単な説明】
【００２０】
【図１】本発明の一実施形態にかかるレンズアダプタの構成例を示す外観図である。
【図２】レンズとレンズアダプタとの接続関係を示す図である。
【図３】レンズアダプタとカメラボディとの接続関係を示す図である。
【図４】レンズ、レンズアダプタおよびカメラボディが接続された状態を示す図である。
【図５】レンズアダプタを固定し、レンズを回した場合の各部の相対的な位置関係を示す図（その１）である。
【図６】レンズアダプタを固定し、レンズを回した場合の各部の相対的な位置関係を示す図（その２）である。
【発明を実施するための形態】
【００２１】  以下、本発明の好適な実施形態につき説明する。
【００２２】  図１は本発明の一実施形態にかかるレンズアダプタ２の構成例を示す外観図であり、中央の（ｂ）は略円板状のレンズアダプタ２を側方から見た図、（ａ）は（ｂ）の左斜め手前から見た図、（ｃ）は（ｂ）の右斜め手前から見た図である。
【００２３】  図１（ａ）において、レンズアダプタ２は、リング状のフランジ面２０１と、このフランジ面２０１の中央開口部から後方（図の右側）にせり出す円筒部２０２の内面に設けられた係合爪２０３〜２０５とを有している。フランジ面２０１と係合爪２０３〜２０５は、後述するレンズ（１）と接続するためのアダプタ前方マウント部を構成している。
【００２４】  また、円筒部２０２の内面には、後述するレンズ（１）の係合爪（１０５）のエッジと当接することで、レンズ（１）とレンズアダプタ２を所定角度範囲にわたって回動可能に連結するための回動抑制片２０６が設けられている。回動抑制片２０６は、その中央の軸止部２０７にくくり付けられたトーションバネ２０８により図の時計回り方向に付勢されている。
【００２５】  また、円筒部２０２の内面には、後述するレンズ（１）の絞りレバー（１０８）の一端を押圧し、レンズ（１）の回転に応じて絞りレバー（１０８）の位置を変化させるレバー押圧片２０９が設けられている。レバー押圧片２０９は板バネ状に形成され、一端を固定部２１０で固定してある。板バネ状にしてあるのは、レンズ（１）の絞りレバー（１０８）の位置誤差を吸収するためである。
【００２６】  レンズアダプタ２の周面にはユーザの手で操作される、歯付けした操作面２１１が設けられている。
【００２７】  図１（ｃ）において、レンズアダプタ２は、リング状のフランジ面２１２と、円筒部２０２の外面に設けられた係合爪２１３〜２１５とを有している。フランジ面２１２と係合爪２１３〜２１５は、後述するカメラボディ（３）と接続するためのアダプタ後方マウント部を構成している。フランジ面２１２の一部には後述するカメラボディ（３）の付勢ピン（３０５）と係合する係止穴２１６が設けられている。
【００２８】  図２はレンズ１とレンズアダプタ２との接続関係を示す図である。
【００２９】  図２において、レンズ１の先端側にはフォーカス操作環１０１が設けられている。また、レンズ１の後端部には、リング状のフランジ面１０２と、このフランジ面１０２の中央部から後方（図の右側）にせり出す円筒部１０３の外面に設けられた係合爪１０４〜１０６とが設けられている。
【００３０】  また、レンズ１の後端部には、スライド溝１０７が設けられ、その中から絞りレバー１０８が露出している。絞りレバー１０８は、その位置により絞り値が設定される。絞りレバー１０８は図示の下端の位置に内部のバネにより付勢されており、外部から押圧されていない状態では図示の位置にある。ここでは、絞りレバー１０８が下端にある状態で最も絞られた状態、上端にある状態で開放としている。その間に絞りレバー１０８がある場合は、中間的な絞りの状態となる。なお、レンズ１には、ユーザによる絞り操作環は設けられていない。また、レンズ１には、互換性のあるカメラボディ（カメラボディ３とは異なる）の付勢ピンと係合する係止穴１０９が設けられているが、レンズアダプタ２を用いる場合には使用しない。
【００３１】  レンズ１とレンズアダプタ２の接続にあっては、レンズ１の係合爪１０４〜１０６をレンズアダプタ２の係合爪２０３〜２０５のない部分、すなわち係合爪２０３と係合爪２０４の間、係合爪２０３と係合爪２０５の間、および係合爪２０４と係合爪２０５の間に嵌め込み、互いの係合爪の軸方向位置を通り越した状態で、図の例では反時計方向にレンズ１を相対的に回すことで接続が行われる。なお、レンズ１の係合爪１０４〜１０６（レンズアダプタ２の係合爪２０３〜２０５についても同様）の角度位置は個々に変えてあるため、決められた位置以外では嵌め込みが行えないようになっている。レンズ１とレンズアダプタ２の相対的な回転角度によるロックおよび絞りの関係については後述する。
【００３２】  図３はレンズアダプタ２とカメラボディ３との接続関係を示す図である。なお、説明の都合からレンズアダプタ２を単体でカメラボディ３に接続する図としているが、実際にはレンズ１とレンズアダプタ２を接続した後にカメラボディ３に接続することとなる。
【００３３】  図３において、カメラボディ３の前面にはフランジ面３０１が設けられ、このフランジ面３０１の中央開口部の内面には係合爪３０２〜３０４が設けられている。また、フランジ面３０１には内部のバネにより所定距離だけ突出する付勢ピン３０５が設けられている。この付勢ピン３０５はピン後退ボタン３０６を押すことで後退（フランジ面３０１の表面から後退）する。
【００３４】  レンズアダプタ２とカメラボディ３の接続にあっては、レンズアダプタ２の係合爪２１３〜２１５をカメラボディ３の係合爪３０２〜３０４のない部分、すなわち係合爪３０２と係合爪３０４の間、係合爪３０４と係合爪３０３の間、および係合爪３０３と係合爪３０２の間に嵌め込み、互いの係合爪の軸方向位置を通り越した状態で、図の例では時計方向にレンズアダプタ２を相対的に回すことで接続が行われる。レンズアダプタ２を時計方向に回すことでレンズアダプタ２の係止穴２１６にカメラボディ３の付勢ピン３０５が係合することで回転が停止し、ロック状態となる。ロックを解除する場合、カメラボディ３のピン後退ボタン３０６を押すことで付勢ピン３０５が後退し、レンズアダプタ２を反時計方向に回転させることでレンズアダプタ２をカメラボディ３から外すことができる。
【００３５】  図４はレンズ１、レンズアダプタ２およびカメラボディ３が接続された状態を示している。
【００３６】  図５および図６はレンズアダプタ２を固定し、レンズ１を回した場合の各部の相対的な位置関係を示す図であり、カメラボディ３側から見た図である。
【００３７】  図５（ａ）は、レンズ１の係合爪１０４〜１０６とレンズアダプタ２の係合爪２０３〜２０５とを嵌め込んだ状態を示している。この状態ではロックはなされておらず、レンズ１をレンズアダプタ２から容易に引き離すことができる。レンズアダプタ２の回動抑制片２０６の一端はレンズ１の係合爪１０５の上に乗った状態にある。また、この状態ではレンズアダプタ２のレバー押圧片２０９はレンズ１の絞りレバー１０８に接触しておらず、レンズ１の絞りＩは最も絞られた状態にある。
【００３８】  図５（ｂ）は、図５（ａ）の状態からレンズ１を図において時計方向に回転させ、レンズアダプタ２のレバー押圧片２０９がレンズ１の絞りレバー１０８に接触する直前の状態を示している。この状態において、回動抑制片２０６の一端がレンズ１の係合爪１０５のエッジから落ちて逆廻りが抑制され、レンズ１とレンズアダプタ２の接続はロック状態となる。ロックを解除するには、回動抑制片２０６の他端の耳片部を指先等で押下し、回動抑制片２０６の一端を係合爪１０５のエッジより上に持ち上げた状態でレンズ１を反時計方向に回転させる。
【００３９】  図６（ａ）は、図５（ｂ）の状態からレンズ１を図において時計方向に更に回転させ、レンズアダプタ２のレバー押圧片２０９がレンズ１の絞りレバー１０８を半分程度移動させた状態を示している。この場合、レンズ１の絞りＩは半分程度開いた状態にある。
【００４０】  図６（ｂ）は、図６（ａ）の状態からレンズ１を図において時計方向に更に回転させ、レンズアダプタ２のレバー押圧片２０９がレンズ１の絞りレバー１０８を最大まで移動させた状態を示している。この場合、レンズ１の絞りＩは開放の状態にある。この状態ではレンズ１の係合爪１０６の裏側に固定された回転抑止ピン１１０にレンズアダプタ２の係合爪２０４の一端が当たり、それ以上の回転ができなくなる。
【００４１】  従来の一般的なレンズアダプタはレンズ１とカメラボディ３の両者に固定されるものであって、ロックされた状態では回動することはない。しかし、本発明のレンズアダプタ２では、ロックされた状態であってもレンズ１とレンズアダプタ２の間で相対的に回動が可能である（レンズアダプタ２とカメラボディ３の間では固定されて回動不可能）。
【００４２】  そして、レンズ１をレンズアダプタ２ひいてはレンズアダプタ２と固定されたカメラボディ３に対して相対的に回動することで、レンズ１の絞りレバー１０８の位置を最も絞った位置から開放位置まで任意の値に容易に調整することが可能である。従って、レンズアダプタ２には絞り操作環を設ける必要がなく、レンズアダプタ２を必要以上の厚さにすることもなくなり、中継レンズを必要としない簡易な空洞の構成とすることができる。
【００４３】  以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００４４】１                  レンズ
１０１              フォーカス操作環
１０２              フランジ面
１０３              円筒部
１０４〜１０６      係合爪
１０７              スライド溝
１０８              絞りレバー
１０９              係止穴
１１０              回転抑止ピン
２                  レンズアダプタ
２０１              フランジ面
２０２              円筒部
２０３〜２０５      係合爪
２０６              回動抑制片
２０８              トーションバネ
２０９              レバー押圧片
２１０              固定部
２１１              操作面
２１２              フランジ面
２１３〜２１５      係合爪
２１６              係止穴
３                  カメラボディ
３０１              フランジ面
３０２〜３０４      係合爪
３０５              付勢ピン
３０６              ピン後退ボタン
【図１】
0005483233.tif 000002
【図２】
0005483233.tif 000003
【図３】
0005483233.tif 000004
【図４】
0005483233.tif 000005
【図５】
0005483233.tif 000006
【図６】
0005483233.tif 000007